(57)【特許請求の範囲】
【請求項１】
ＡＴＭ網における音声情報サービス装置であって，
ディジタル変換された音声情報を格納する音声ファイルと，前記音声ファイルから所定長の音声情報を一時的に格納する音声バッファと，前記音声バッファの音声情報にＳＡＲヘッダとセルヘッダを付加する音声セル組立回路と，
複数の着信呼の仮想回線（バーチャルチャネル）対応にセル制御情報を格納するセル制御テーブルと，
ＡＴＭ網との間で信号セルを送受する信号セル組立・分解部と，
一定時間間隔で起動され前記セル制御テーブルを用いて，前記音声ファイル，セル組立部を制御して，仮想回線対応の音声情報セルの生成と送信を制御すると共に前記信号セル組立・分解部を介してＡＴＭ網との間で送受される制御信号の処理を行う制御部とを備え，
複数のバーチャルチャネルに対する音声情報サービスを提供することを特徴とするＡＴＭ網に接続する音声情報サービス装置。
【請求項２】
請求項１において，
前記信号セル組立・分解部からの信号セル及び複数のバーチャルチャネル対応の音声情報を含むセルを多重化してＡＴＭ網へ送出すると共に，ＡＴＭ網からの信号セルを前記信号セル組立分解部に分離するセル多重・分離部を備え，
前記信号セル組立・分解部を介してＡＴＭ網との間で，信号セルのＶＣリンクにより，バーチャルチャネルの論理的な接続及び切断を制御することを特徴とするＡＴＭ網に接続する音声情報サービス装置。
【請求項３】
請求項１または２において，
前記制御部は，ＡＴＭ網との間で前記信号セル組立・分解部を介して信号セルの送受により，バーチャルチャネルの論理的な接続及び切断を制御することを特徴とするＡＴＭ網に接続する音声情報サービス装置。
【請求項４】
請求項１において，
前記セル制御テーブルは，仮想回線対応に，サービス中を表示する回線状態，ＶＣＩ値，ＡＡＬタイプ１のＳＡＲヘッダ，音声ファイルメモリの読出しポインタを格納する領域を備え，
制御部は，呼の着信時に前記セル制御テーブルの空き状態の仮想回線に対応する前記各領域をそれぞれ初期設定して，音声セルを生成することを特徴とするＡＴＭ網に接続する音声情報サービス装置。
【請求項５】
請求項１において，
前記制御部は，同一仮想回線の音声情報セルの送信を，５．８７５ｍｓ周期で行うことにより，音声情報セルを固定速度で送信することを特徴とするＡＴＭ網に接続する音声情報サービス装置。
【請求項６】
請求項１において，
前記制御部は，最大収容の仮想回線数Ｎに対して，５．８７５ｍｓ÷Ｎの周期で起動することにより，ＡＴＭ網と音声情報サービス装置間のバーチャルパスのセル送信密度を一定とすることを特徴とするＡＴＭ網に接続する音声情報サービス装置。
【請求項７】
請求項１または４において，
前記制御部は，仮想回線に対応する前記セル制御テーブルのアドレスを示すテーブルカウンタを備え，
周期起動の都度，前記テーブルカウンタが示すセル制御テーブルの対応する領域から当該時刻で処理するバーチャルチャネルのセル制御情報を読出し，読出されたセル制御情報内の音声ファイルメモリ読出しポインタで指示される位置から４７バイトの音声情報を読出し，読出し後にセル制御テーブルのポインタを更新することを特徴とするＡＴＭ網に接続する音声情報サービス装置。
【請求項８】
請求項１，４または請求項７の何れかにおいて，
前記制御部は，新規に仮想回線の論理的な接続を設定する時，該仮想回線に対応する前記セル制御テーブルの音声ファイルメモリ読出しポインタを音声情報の先頭に設定し，バーチャルチャネル毎に音声情報の頭出しを行うことを特徴とするＡＴＭ網に接続する音声情報サービス装置。
【請求項９】
請求項１乃至８の何れかにおいて，
前記制御部は，前記信号セル組立・分解部を介してＡＴＭ網との間の呼の制御を行うプロセッサと，前記セル制御テーブルを備え前記セル組立部の制御を行うセル生成制御部とで構成することを特徴とするＡＴＭ網に接続する音声情報サービス装置。
【発明の詳細な説明】
【０００１】
【発明の属する技術分野】
本発明はＡＴＭのネットワークを介して多数の利用者に音声情報サービスを提供するためのＡＴＭ網に接続する音声情報サービス装置に関する。
【０００２】
近年，通信網を支える技術は，アナログ伝送からディジタル伝送へ，更にＳＴＭ（Ｓｙｎｃｈｒｏｎｏｕｓ  Ｔｒａｎｓｆｅｒ  Ｍｏｄｅ：同期伝送モード）からＡＴＭ（Ａｓｙｎｃｈｒｏｎｏｕｓ  Ｔｒａｎｓｆｅｒ  Ｍｏｄｅ：  非同期伝送モード）へと，高速・大容量化の方向に向かっており，従来の音声・データから画像通信を可能として，高度情報化社会の実現に向けて着々と通信基盤が整えられている状況にある。
【０００３】
本発明はこのように広帯域ＩＳＤＮ（Ｂ−ＩＳＤＮ）が普及していく中で，通信の基本である音声情報の提供サービスをＢ−ＩＳＤＮの特質を有効に生かしながら，従来の音声情報サービス装置より更に安価に実現する手段を提供するものである。
【０００４】
【従来の技術】
図１０は従来の音声情報サービスの説明図である。
図１０のＡ．に示すように多数の電話端末９０がネットワーク９１（アナログ信号またはＳＴＭのディジタル信号に対応する交換網）に収容されると共に，情報提供業者（ＩＰ：Ｉｎｆｏｒｍａｔｉｏｎ  Ｐｒｏｖｉｄｅｒ）  の装置９２（以下，単にＩＰ装置という）も端末として収容されている。この場合，ＩＰ装置９２としては，例えば，時報，各地域に対応した天気予報等の音声情報サービスの他に，ニュース等の各種の音声情報を有料で提供する装置がある。
【０００５】
音声情報サービスを受ける場合の電話端末９０の動作を図１０のＢ．に示す。電話端末９０の加入者がＩＰ装置９２の番号をダイヤルする。この場合ダイヤル「１１７」の時報サービス，「１７７」の天気予報サービス，ニュース等の予め決められたダイヤル番号，ダイヤルＱ２  の番号等による各種の音声情報サービスに対応した番号がある。ネットワーク９１はダイヤルに従って交換接続を行い，電話端末９０をＩＰ装置９２と接続する。ＩＰ装置９２が着信に対し，蓄積されたメッセージ情報を読み出すと電話端末９０はこれを受信する。受信が終了すると電話端末９０は呼を切断する。
【０００６】
図１１，図１２は従来の音声情報サービスの実現形態（その１），（その２）を示す。
図１１は例えば，気象情報サービスの例を示し，各エリアＡ，Ｂには，それぞれ電話端末９０の各加入者を収容する複数の交換機９１０が設けられ，複数の交換機９１０の上位に設けられた各エリアの主要な交換機９１１のトランク（ＴＲＫ）９１２から専用線または公衆網を介して同じエリアまたは近傍のエリアであるエリアＸに設けられたＩＰ装置９２と接続されている。ＩＰ装置９２には，各地域の気象予報の音声が記録されたファイル９２０が設けられている。この形態は，通信事業者が情報提供サービスを行う例であり，料金は通信料の形態で徴収される。当然，利用頻度が高い場合，利用者とサービスを提供する設備はエリア内等の近傍に設けられることが望ましい。
【０００７】
この図１１の場合，加入者が，電話端末９０で上記天気予報サービスをダイヤルすると，当該電話端末９０が収容された交換機９１０から上位の交換機９１１に接続され，トランク（ＴＲＫ）９１２を経由してＩＰ装置９２と接続されて，音声による所望地域の気象情報が通知される。
【０００８】
図１２はダイヤルＱ２  のような通信事業者が情報提供サービスを行う例であり，電話端末９０はそれぞれ交換機９１０に収容され，交換機９１０の上位に交換機９１１が設けられている。図１２の場合，ＩＰ装置９２は情報提供業者が一般の電話端末９０と同様に交換機９１０に接続されて，電話端末９０から情報提供サービスを受けるための決められたダイヤルを行うと，ＩＰ装置９２と接続されて情報提供サービスが行われる。料金は通信料と別に情報提供料があり，一般的に通信事業者が代行して集金している。
【０００９】
図１３は図１１に示す音声情報サービスの詳細を示す図である。
図１３において，９０，９１０，９１１，９１２，９２は上記図１１と同じものを表し，９１３は受信装置である。
【００１０】
上位の交換機９１１に接続する複数のトランク（ＴＲＫ）９１２は，電話番号に相当する番号をそれぞれ有しているが，利用者からは代表的な番号，例えば１７７として接続される。１７７の番号は交換機９１１内で空きトランクの番号に変換されて接続される。ＩＰ装置９２の情報ファイルまたは磁気テープからの音声情報は，受信装置９１３にディジタル信号（ＰＣＭ符号化）の形態で一旦受信して蓄積された後，複数のトランク（ＴＲＫ）９１３に分配される。
【００１１】
電話端末９０（Ａ〜Ｄ）からサービスを指定する番号（例えば，１７７）をダイヤルすると，交換機９１０を介して交換機９１１に接続され，それぞれ異なるトランク９１２に接続される。各トランクは，受信装置９１３にアクセスして音声情報を読み出すことにより，音声情報が各トランク９１２から発信側の電話端末９０へ送信される。ディジタル信号は電話端末９０で出力する途中の段階でアナログ信号に変換される。
【００１２】
【発明が解決しようとする課題】
上記したように従来の音声情報サービスを提供するシステムでは，通信網はＳＴＭ（同期転送モード）であり，サービスを提供する側とサービスを受信する側が，情報を送信している間は１対１に接続している必要があり，トランク等の機器が１人の利用者対応に設置せざるを得ない状況にある。すなわち，複雑な機構を備えるトランクを，少なくすると話中（ビジー）の確率が高くなり，多数設けると稼働率が低下するのに対しコストがかかるという問題があった。
【００１３】
これに対し，複数の利用者に共用化する装置を設けると，多数の装置がそれぞれアクセスしても競合により多くの情報は先頭から聞けなくなってしまう。
また，通信網がＢ−ＩＳＤＮに向かっていく時，以前として音声サービスは重要なサービスであり，また通信網が高速，大容量を実現するに従って，当然情報通信料金は低価格となることが望まれている。
【００１４】
本発明は提供対戦数に単純に比例して設備コストが増大する従来の問題を，Ｂ−ＩＳＤＮ（ＡＴＭ）技術を用いて改善し，より安価な音声情報サービス装置を提供することを目的とする。
【００１５】
【課題を解決するための手段】
図１は本発明の原理構成図である。
図１において，１はセル多重・分離部，２は信号セル組立・分解部（信号セルＣＬＡＤで表す：Ｃｅｌｌ  Ａｓｅｍｂｌｙ  Ｄｅａｓｓｅｍｂｌｙ），３はセル生成部，３ａは音声セル組立回路，３ｂは音声バッファ，４は制御部，５はセル制御テーブル，６は音声ファイルメモリ（ＶＭ），７は交換機（図示省略）と回線（同軸または光ファイバ）により接続された伝送装置である。
【００１６】
交換機に収容された音声端末から図１に示す音声情報サービス装置に対し着信が発生すると，着信の情報を含む信号セルは伝送装置７からセル多重・分離部１へ供給され，ここで分離されて信号セルＣＬＡＤ２においてセルが分解されて制御信号が制御部４に供給される。制御部４はこの着信呼に対し応答する制御信号を発生すると，信号セルＣＬＡＤ２において信号セルに変換されて発信側へ送信される。
【００１７】
制御部４は，着信呼に対応するセル生成部３の回線状態，ＶＣＩ，音声ファイルメモリ６の読み出しのポインタ等のセル制御情報をセル制御テーブル５に設定し，音声ファイルメモリ６から先頭の４７バイト分の音声情報（ＰＣＭ符号化信号）を順番に読み出し，セル生成部３の音声バッファ３ｂに格納する。次に制御部４は，音声バッファ３ｂの音声セル組立回路３ａに対し，セル制御テーブル５に設定された情報及び予め決められたヘッダのパラメータ情報とで構成する５バイトのヘッダと１バイトのＡＡＬタイプ１（ＡＴＭ  Ａｄａｐｔａｔｉｏｎ  Ｌａｙｅｒ  ｔｙｐｅ１）  のＳＡＲ（Ｓｅｇｍｅｎｔａｔｉｏｎ  ａｎｄ  Ｒｅａｓｓｅｍｂｌｙ  Ｓｕｂｌａｙｅｒ：  セル分解・組立サブレイヤ）ヘッダを供給し，音声バッファ３ｂの４７バイトの音声情報とで合計５３バイトのセルが組立てられ，セル多重・分離部１へ送られる。セル多重・分離部１において他のセル生成部３からのセルと共に多重化されて伝送装置７から回線へ送出される。音声ファイルメモリ６には８ＫＨｚ（１２５μｓ周期）でサンプリングされた音声のＰＣＭ符号（１サンプルが１バイトで構成）が格納されており，１セル分（４７バイト）の情報は，１２５μｓ×４７＝５．８７５ｍｓ周期で送出する。
【００１８】
図１では，セル生成部３は個別の着信呼の仮想回線に対応して複数個設けられているが，装置の処理速度を上げることにより，２倍等の回線のサービスが可能となる。更に多数の仮想回線に対して一つのセル生成部３を共用して各回線の音声セルを多重処理により生成することができる（詳細は図５〜図９に示す）。
【００１９】
【発明の実施の形態】
図２は本発明による音声情報サービス装置から端末への音声セルの伝送形態を示す。
【００２０】
図２において，１０はアナログ形の端末（従来の電話機）であり図２にはＡとＢの符号を付した２つの端末だけ示し，１１はＡＴＭ交換機，１２はＣＯＤＥＣ（Ｃｏｄｅｒ  Ｄｅｃｏｄｅｒ：符号・復号器）  を内蔵した加入者回路（ＳＬＩＣで表す：Ｓｕｂｓｃｒｉｂｅｒ  Ｌｉｎｅ  Ｃｉｒｃｕｉｔ），１３はセル組立・分解部（ＣＬＡＤで表す），１４はＡＴＭスイッチ（ＡＴＭ−ＳＷで表す），１５は情報提供業者（ＩＰ）のＡＴＭ端末であり，音声情報サービス装置（ＩＰ装置という）を備える。
【００２１】
ＡＴＭ交換機１１では，アナログ端末１０に対して，ＳＬＩＣ１２においてアナログ信号とディジタル信号の相互変換を行い，ディジタル信号はＣＬＡＤ１３でディジタル信号のセル信号への組立と，セル信号のディジタル信号への分解を行っている。セル信号はＡＴＭ−ＳＷ１４で目的の接続方路にスイッチングされる。２つの端末Ａ，Ｂから音声情報サービスを要求してＡＴＭ端末１５に接続された後，ＡＴＭ端末１５から各端末へ送出される音声は，ＡＴＭセルにより多重化されてＡＴＭ交換機１１へ送られる。
【００２２】
この時，各端末Ａ，Ｂを宛先とする各ＡＴＭセルは，ＡＡＬ（ＡＴＭ  Ａｄａｐｔａｔｉｏｎ  Ｌａｙｅｒ）  タイプ１のプロトコルを適用して，図２に示すように，５バイトのセルヘッダと，１バイトのＳＡＲヘッダ及び４７バイトの音声情報とで構成される。各端末に対応する音声セルは，ＡＴＭ端末１５から，上記図１に説明したように，５．８７５ｍｓ（１２５μｓ×４７）の間隔で送信される。ＡＴＭ端末１５からの端末Ａ，端末Ｂに向けた各音声セルはＡＴＭ−ＳＷ１４においてヘッダ（その中のバーチャルチャネルＶＣＩ）に基づいてスイッチングされ，各端末Ａ，Ｂに対応するＣＬＡＤ１３，ＳＬＩＣ１２を介してアナログ信号に変換され，各端末へ送信される。
【００２３】
図３はアナログ電話機とＡＴＭ端末（ＩＰ）を接続するＡＴＭ交換機（上記図２の１１）の構成を示す。
図３において，１０〜１５は上記図２の同じ符号と同じものであり説明を省略する。ＡＴＭ交換機１１において，１６は加入者回路（ＳＬＩＣ）を制御するＳＬＩＣ制御回路（ＳＬＣで表す），１７は信号制御装置（ＳＩＣで表す：Ｓｉｇｎａｌ  Ｃｏｎｔｒｏｌｅｒ），１８は他の交換機と接続する中継線が接続される中継装置，１９はＡＴＭ端末１５や，その他の端末２３を収容するＡＴＭ回線ユニット（ＡＴＭ−ＬＵ：ＡＴＭ  Ｌｉｎｅ  Ｕｎｉｔ）  ，２０は加入者に送出するトーン信号を発生するトーン送出器（ＴＮＳで表す：Ｔｏｎｅ  Ｓｅｎｄｅｒ  ），２１はＰＢ信号を受信するＰＢ信号受信器（ＰＢＲで表す：ＰＢ  Ｒｅｃｅｉｖｅｒ），２２は各部の制御を行うＣＰＵ，２３はその他のＡＴＭ用の端末を表す。なお，図３の場合，ＴＮＳ２０，ＰＢＲ２１はＡＴＭスイッチ１４に収容してそれぞれセル組立，セル分解の機構を備えているが，各加入者回路（ＳＬＩＣ）１２と接続するように配置することでアナログ信号を扱うようにすることができる。
【００２４】
利用者がアナログ端末１０から発呼（オフフック）すると，加入者回路（ＳＬＩＣ）１２で検出し，ＳＬＩＣ制御回路（ＳＬＣ）１６を経由して交換機のＣＰＵ２２に通知される。ＣＰＵ２２はダイヤルトーンをＴＮＳ２０からＡＴＭ−ＳＷ１４を経由して発呼端末に送出し，次いで利用者からダイヤリングをＰＢＲ２１で受信する。ＣＰＵ２２は，ＰＢＲ２１からのダイヤル数字を翻訳し，接続先を識別する。次に接続先を起動するために起動信号セルを信号制御装置１７から発生し接続先宛に送信する。
【００２５】
ＡＴＭ端末のＩＰ装置１５は，ＡＴＭ交換機１１のＡＴＭ端末を接続するＡＴＭ−ＬＵ１９に同軸ケーブルまたは光ファイバケーブルで接続され，利用者からのダイヤルの宛先がＩＰ装置１５である場合，起動信号セルがＩＰ装置１５に送られる。ＩＰ装置１５は起動信号セルの受信により，新規利用者への音声情報提供を開始するが，ＡＴＭ交換機１１との間で新たに仮想回線識別子（バーチャルチャネル識別子：ＶＣＩ）を設定し，この仮想回線に音声情報のセル信号を送信する。
【００２６】
図４はＩＰ装置の第１の構成例を示し，この例は各仮想回線に対応して音声セル組立回路及び音声バッファを備えている。
図４において，３０はＩＰ装置（上記図３のＡＴＭ端末１５と同じ），３１はセル多重・分離部，３２は信号セルＣＬＡＤである。３３，３４は各仮想回線に対応するセル生成のための構成であり，３３は音声セル組立回路（ＣＡＣで表す：Ｃｅｌｌ  Ａｓｓｅｍｂｌｙ  Ｃｉｒｃｕｉｔ），  ３４は１セル分（４７バイト）の容量を備える音声バッファ（ＶＢ：Ｖｏｉｃｅ  Ｂｕｆｆｅｒ）である。
【００２７】
３５はセル生成制御部，３６はセル制御テーブル（ＣＣＴ：Ｃｅｌｌ  Ｃｏｎｔｒｏｌ  Ｔａｂｌｅ），３７はＭＰＵ（マイクロプロセッサユニット），３８は音声ファイルである。なお，音声ファイル３８はＩＰ装置３０の外部に設けられているが内部に設けてもよい。また，音声ファイル３８は，アクセスタイムの高速化のためＤＲＡＭ等の半導体メモリで構成することができる。
【００２８】
この構成の例では，複数の加入者からの呼に対応して音声情報を送出するためにセル組立回路（ＣＡＣ）３３と音声バッファ（ＶＢ）３４が３組設けられている。セル生成制御部３５は，セル制御テーブル３６を用いて，ＭＰＵ３７の制御の下に，各バーチャルチャネル（ＶＣＩ）に対応したセルヘッダ及び音声ファイル３８からの音声情報の読出し制御と，セル組立と送信の制御を行う。信号セルＣＬＡＤ３２はＡＴＭ交換機との間で制御信号をＭＰＵ３７との間で送受するための信号セルの組立・分解を行う。なお，この図４の構成では，各仮想回線に対応して，音声セル組立回路（ＣＡＣ）３３と音声バッファ（ＶＢ）３４を備えているが，処理速度を上げることにより，それぞれが複数回線分を多重処理することができる。その場合，セル生成制御部３５等の各装置も対応する速度で動作することはいうまでもない。
【００２９】
図４の場合，サービス回線毎に機器を配置するため，ＡＴＭ技術を採用した効果が十分に生かされてない。ＡＴＭの特徴は，一本の物理回線に多数の仮想回線を設定できることと，音声の再生速度に依存しない高速な伝送速度が設定できる点であり，この利点を生かして回線間での装置の共用化と大容量化が可能となり，その構成例を以下に説明する。
【００３０】
図５は音声セル生成の構成を共用化したＩＰ装置の構成例である。
図５において，４０はＡＴＭ交換機，４１はＡＴＭ交換機４０と同軸ケーブルまたは光ファイバケーブルで接続する伝送装置，４２はセル多重・分離部，４３は信号セルＣＬＡＤ，４４，４５はセル生成部を構成し，４４は音声セル組立回路，４５は４７（バイト）の容量を持つ音声バッファ（ＶＢ），４６はセル生成制御部，４７はセル制御テーブル（ＣＣＴ），４８はＭＰＵ，４９は音声ファイルメモリ（ＶＭ）である。
【００３１】
図５の構成では，複数のバーチャルチャネル（ＶＣＩ）に対して共通の音声セル組立回路４４と音声バッファ４５を配置して，上記図４のように各バーチャルチャネル対応に設けることなく，時分割で動作することによりＩＰ装置のコストを低減することができる。
【００３２】
図６はセル生成制御部と周辺の構成例を示す。
図６には上記図５の符号４４〜４９の各部を示す。セル生成制御部４６において，４６ａはＡＴＭセルのＡＡＬタイプ１のＳＡＲヘッダを構成する４ビットのＳＮ（Ｓｅｑｕｅｎｃｅ  Ｎｕｍｂｅｒ：セルのシーケンス番号）と４ビットのＳＮＰ（Ｓｅｑｕｅｎｃｅ  Ｎｕｍｂｅｒ  Ｐｒｏｔｅｃｔｉｏｎ：  シーケンス番号保護）  を格納するバッファ，４６ｂはバーチャルチャネル識別子（ＶＣＩ）を格納するバッファ，４６ｃはヘッダ内の各種のパラメータを保持するヘッダパラメータレジスタ（ＨＰＲで表す：Ｈｅａｄｅｒ  Ｐａｒａｍｅｔｅｒ  Ｒｅｇｉｓｔｅｒ）であり，このレジスタには音声情報サービスの送信開始に先立ってＭＰＵ４８から各パラメータの値が設定される。パラメータとしては，４ビットのＧＦＣ（Ｇｅｎｅｒｉｃ  Ｆｌｏｗ  Ｃｏｎｔｒｏｌ：  一般的フロー制御），８ビットのＶＰＩ（バーチャルパス識別子），３ビットのＰＴ（Ｐａｙｒｏａｄ  Ｔｙｐｅ：  ペイロードタイプ）  ，１ビットのＣＬＰ（Ｃｅｌｌ  Ｌｏｓｓ  Ｐｒｉｏｒｉｔｙ：  セル損失優先表示）等がある。
【００３３】
また，４６ｄはＶＭ（音声ファイルメモリ）４９の読出しポインタ（ＶＭアドレス）を格納するバッファ，４６ｅはセル生成制御部のコントローラ（ＣＴＬで表示），４６ｆはセル制御テーブル（ＣＣＴ）のテーブルカウンタ，４６ｇは１２５μｓ毎に起動信号を発生するタイマである。
【００３４】
セル制御テーブル（ＣＣＴ）４７は，各発呼ユーザの仮想回線の番号（＃１〜＃４７）に対応して，ＣＳ（該当回線が空きかサービス中かを１ビットの０，１により表示），１６ビットのＶＣＩ（当該回線のバーチャルチャネル識別番号），８ビット（１バイト）のＳＮ／ＳＮＰ，音声ファイルメモリ４９（ＶＭ）の読出しポインタ（アドレス）を表すＶＭＰ等とで構成される。
【００３５】
音声情報サービス装置に着信した時に，着信した信号セル（図５の信号セルＣＬＡＤ４３から得る）によりその時の発呼端末のＶＣＩを識別し，セル制御テーブル４７のＣＳが空きの仮想回線の番号を検出してＣＳを“１”に設定し，ＶＣＩの欄に識別したＶＣＩを設定し，最初のセルのＳＮ（先頭のシーケンス番号は１）とそのＳＮＰが設定され，更に音声ファイルメモリ（ＶＭ）４９に格納された音声情報の先頭のポインタがＶＭＰに設定される。この例では，セル制御テーブル４７が＃１〜＃４７の合計４７回線分のセル制御情報を処理する。すなわち，各回線において音声セルは５．８７５ｍｓ周期で発生し，５．８７５ｍｓの時間に４７回線分の音声セルを発生させるために各回線の処理時間は１２５μｓとする。なお，音声セル組立回路４４，セル生成制御部４６の処理時間を高速化して，１回線当たりの処理時間を１２５／２＝６２．５μｓにした場合は，９４回線を多重処理することができる。
【００３６】
図７はセル生成制御部の制御フローである。
動作を開始すると，図６のセル生成制御部４６はタイマ４６ｇが１２５μｓに達したかを判別し（図７のＳ１），１２５μｓに達した場合はコントローラ（ＣＴＬ）４６ｅは，テーブルカウンタ４６ｆのカウント値を＋１し（同Ｓ２），そのカウント値をアドレスとしてセル制御テーブル４７のリードを行う（同Ｓ３）。この時音声セル組立回路４４も駆動されるが，音声セル組立回路４４の動作は後述する図８により説明する。セル制御テーブル４７からはアドレスに対応する回線番号の情報が点線で示すように読出されるが，コントローラ４６ｅは，ＣＳが“１”であるか判別し（図７のＳ４），ＣＳ＝０の場合は何も行わずに初期状態に戻る。
【００３７】
ＣＳ＝１の場合は，図６の４６ａ，４６ｂ，４６ｄの各バッファまたはレジスタに読出された各情報が設定され，バッファ４６ｄに設定されたＶＭアドレスを用いて音声ファイルメモリ（ＶＭ）４９にリード指示を発生する（図７のＳ５），対応するアドレスから４７バイトのリードデータは音声バッファ（ＶＢ）４５に格納される（同Ｓ６）。
【００３８】
音声セル組立回路４４は，後述する図８に示すが，４７バイトの音声情報を音声セルの４７バイトのペイロードに設定すると共に，バッファ４６ａからＳＮ／ＳＮＰ，４６ｂからＶＣＩ，４６ｃから各種のヘッダパラメータ（ＧＦＣ，ＰＴ，ＣＬＰ，ＨＥＣ等）を取り出して５３バイトの音声セルを組立てて送信する。セル制御テーブル４７からのリード処理が行われた回線に対応するＶＭＰについて次のポインタの書き込みを行って更新を行い（図７のＳ７），次にＳＮ／ＳＮＰの内容を次のシーケンス番号により更新する（同Ｓ８）。この後，次の１２５μｓになると同様の処理が繰り返される。
【００３９】
図８は音声セル組立回路の構成例を示す。
図８において，４１〜４３は上記図５の同一の各符号，４４，４５，４６ａ〜４６ｃは上記図６の同一の各符号と同じであり説明を省略する。音声セル組立回路４４内の，４４ａは音声セルを構成する各情報を多重化して編集するための編集カウンタ，４４ｂは多重化回路（ＭＵＸ），４４ｃは５バイトで構成するセルヘッダの最後の１バイトに設定されるＨＥＣ（Ｈｅａｄｅｒ  Ｅｒｒｏｒ  Ｃｏｎｔｒｏｌ：  ヘッダエラー制御）を作成するＨＥＣ作成回路である。
【００４０】
音声セル組立回路４４は，上記図６のセル生成制御部４６のタイマ４６ｇにより１２５μｓ毎にセル生成制御部４６と同時に起動される。タイマ４６ｇの起動信号で編集カウンタ４４ａを初期設定し，多重化回路（ＭＵＸ）４４ｂの信号選択をセル組立て開始状態にする。また，編集カウンタ４４ａの値により，音声バッファ４５に一時格納されている音声情報を逐次読出す。
【００４１】
多重化回路４４ｂには，音声バッファ４５からの音声データ，ヘッダパラメータレジスタ（ＨＰＲ）４６ｃの出力，ＶＣＩを保持するバッファ４６ｂの出力，ＳＮ／ＳＮＰを保持するバッファ４６ａの各出力と共に，ＨＥＣ作成回路４４ｃの出力が入力される。
【００４２】
ＨＥＣ作成回路４４ｃは，セルヘッダの１〜４バイトを構成するヘッダパラメータレジスタ（ＨＰＲ）４６ｃから供給されるＧＦＣ，ＶＰＩ，ＰＴ，ＣＬＰおよびＶＣＩを保持するバッファ４６ｂから供給されるＶＣＩに対して，予め決められた生成多項式による演算を行って，その結果をＨＥＣとして出力する。
【００４３】
セル組立は，図８の左下に示す音声セルの構成となるように，多重化回路４４ｂに入力される各信号を所定のタイミングで編集カウンタ４４ａの出力により選択する。すなわち，音声セルの先頭にセルヘッダとして，ＧＦＣ（４ビット），その後にＶＰＩ（８ビット），次にＶＣＩ（１６ビット），ＰＴ（３ビット），ＣＬＰ（１ビット），ＨＥＣ（８ビット）が順番に選択され，次にＳＡＲヘッダであるＳＮ／ＳＮＰ（８ビット）が選択され，続いて音声バッファ４５から４７バイトの音声データが順番に読出されて音声セルの組立が完成する。
【００４４】
上記図５乃至図８に示す構成により安価な音声情報サービス装置を提供できる。なお，音声セル組立回路４４，音声バッファ４５の組合わせ（セル生成部）は，多重化動作により４７個の仮想回線を処理する例について説明したが，多重化動作する音声セル組立回路４４，音声バッファ４５を複数組を設けてより多くの回線を処理することもできる。
【００４５】
図９は本発明の音声情報サービス装置を用いたネットワークを含む全体の動作シーケンスの例である。
図９において，１０，１１，１５はそれぞれ上記図２，図３に示す符号と同じであり，１０はアナログの音声端末，１１はＡＴＭ交換機，１５はＩＰ装置（図４または図５に示す構成を備える）を表す。
【００４６】
音声端末１０のユーザが発呼すると（図９のａ），ＡＴＭ交換機１１からダイヤルトーンが送出され（同ｂ），ユーザが音声情報サービスセンタ（音声情報サービス装置を設置する事業者をいう）を指定するダイヤル数字を送出すると（同ｃ），ＡＴＭ交換機１１においてスイッチングが行われて，相手のＩＰ装置１５に対し呼出しを表す信号セルが送られ（同ｄ），音声端末１０に対して呼び出し音（リングバックトーン）が送られる（同ｅ）。ＩＰ装置１５で応答を表す信号セルを送信すると（図９のｆ），ＡＴＭ交換機１１は新規の仮想回線（バーチャルチャネル）の接続に対してＶＣＩ設定を含む信号セルをＩＰ装置１５へ送信する（同ｇ）。ＩＰ装置１５（のＭＰＵ）は，これに応じてセル制御テーブル（図４の３６，図５の４７）の空き回線のＣＳ（回線状態表示）をサービス中に設定すると同時に受信したＶＣＩを設定し，また音声ファイルメモリ（ＶＭ）も初期値に設定し，応答（応答確認）の信号セルをＡＴＭ交換機１１へ送信する（図９のｈ）。
【００４７】
この後，ＩＰ装置１５ではセル生成制御部（図４の３５，図５の４６）の処理がこの新規回線の処理サイクルになると，音声ファイルメモリを読出して，上記に説明した構成により，音声セルを生成して，音声情報の送出が開始される（図９のｉ）。この音声セルはＡＴＭ交換機１１でアナログ信号に変換され音声端末１０のユーザが聴取することができる。この後，ＡＴＭ交換機１１は，使用中の回線の終話を監視しており，音声端末１０の終話（オンフック）を検出すると（同ｊ），ＩＰ装置１５に対し終話を表す信号セルを送信する（同ｋ）。これによりＩＰ装置１５はセル制御テーブルのＣＳを開放（ＣＳ＝０に設定）すると共にＡＴＭ交換機１１に対し応答（開放完了）を表す信号セルを送信して（図９のｌ），サービスを停止する。
【００４８】
【発明の効果】
本発明によれば，通信網のＢ−ＩＳＤＮ化が進展する中で最大数の端末である音声端末に対して，音声情報サービスを継続して効率的に提供することが可能となる。また，交換機に対して従来のように回線数に対応したトランクを設けることなく音声情報サービス装置のコストを多重化することにより安価にすることが可能となる。
【図面の簡単な説明】
【図１】本発明の原理構成を示す図である。
【図２】音声情報サービス装置から端末への音声セルの伝送形態を示す図である。
【図３】アナログ電話機とＡＴＭ端末を接続するＡＴＭ交換機の構成を示す図である。
【図４】ＩＰ装置の構成例を示す図である。
【図５】音声セル生成の構成を共用化したＩＰ装置の構成例を示す図である。
【図６】セル生成制御部と周辺の構成例を示す図である。
【図７】セル生成制御部の制御フローを示す図である。
【図８】音声セル組立回路の構成例を示す図である。
【図９】本発明の音声情報サービス装置を用いたネットワークを含む全体の動作シーケンスの例を示す図である。
【図１０】従来の音声情報サービスの説明図である。
【図１１】従来の音声情報サービスの実現形態（その１）を示す図である。
【図１２】従来の音声情報サービスの実現形態（その２）を示す図である。
【図１３】図１１に示す音声情報サービスの詳細を示す図である。
【符号の説明】
１    セル多重・分離部
２    信号セル組立・分解部（信号セルＣＬＡＤ）
３    セル生成部
３ａ  音声セル組立回路
３ｂ  音声バッファ
４    制御部
５    セル制御テーブル
６    音声ファイルメモリ（ＶＭ）
７    伝送装置
【図１】
0003600353.tif 000002
【図２】
0003600353.tif 000003
【図３】
0003600353.tif 000004
【図４】
0003600353.tif 000005
【図５】
0003600353.tif 000006
【図６】
0003600353.tif 000007
【図７】
0003600353.tif 000008
【図８】
0003600353.tif 000009
【図９】
0003600353.tif 000010
【図１０】
0003600353.tif 000011
【図１１】
0003600353.tif 000012
【図１２】
0003600353.tif 000013
【図１３】
0003600353.tif 000014